(57)【特許請求の範囲】
【請求項１】
表示手段を有し、選択可能な複数の処理項目を表すメニュー画面を前記表示手段に表示し、表示されている前記複数の処理項目のうち、選択された前記処理項目に対応した動作を行う携帯電話機であって、
前記複数の処理項目のそれぞれに対応する１つ又は複数の単語がちりばめられた長い文章を前記メニュー画面として前記表示手段に表示する表示制御手段と、
任意の前記単語を指示するための指示手段とを備え
前記表示制御手段は、
前記指示手段によって任意の前記単語が指示されると、前記表示手段に、指示された当該単語とつながりを有する語句を前記メニュー画面として残す表示をし、
つながりを有する語句に対応した処理項目の処理を実行する構成とされていることを特徴とする携帯電話機。
【請求項２】
表示手段を有し、選択可能な複数の処理項目を表すメニュー画面を前記表示手段に表示し、表示されている前記複数の処理項目のうち、選択された前記処理項目に対応した動作を行う携帯電話機であって、
前記複数の処理項目のそれぞれに対応する１つ又は複数の単語がちりばめられた長い文章を前記メニュー画面として前記表示手段に表示する表示制御手段と、
任意の前記単語を指示するための指示手段とを備え
前記表示制御手段は、
前記指示手段によって任意の前記単語が指示されると、指示された当該単語のある行を除いて、指示された当該単語とつながりを有する語句を処理項目として残す一方、つながりを有さない字句を前記メニュー画面から消去すると共に、
つながりを有する語句に対応した処理を実行する構成とされていることを特徴とする携帯電話機。
【請求項３】
前記表示制御手段は、
当該携帯電話機が受信した電子メール又はユーザが作成した単語を認識して前記文章の一部として取り込んで前記表示手段に表示する構成とされていることを特徴とする請求項１又は２記載の携帯電話機。
【請求項４】
表示手段を有し、選択可能な複数の処理項目を表すメニュー画面を前記表示手段に表示し、表示されている前記複数の処理項目のうち、選択された前記処理項目に対応した動作を行う携帯電話機に用いられるメニュー画面表示方法であって、
前記複数の処理項目のそれぞれに対応する１つ又は複数の単語がちりばめられた長い文章を前記メニュー画面として前記表示手段に表示する表示制御処理と、
任意の前記単語を指示するための指示処理とを行い、
前記表示制御処理では、
前記指示手段によって任意の前記単語が指示されると、前記表示手段に、指示された当該単語とつながりを有する語句を前記メニュー画面として残す表示をし、
つながりを有する語句に対応した処理項目の処理を実行することを特徴とするメニュー画面表示方法。
【請求項５】
表示手段を有し、選択可能な複数の処理項目を表すメニュー画面を前記表示手段に表示し、表示されている前記複数の処理項目のうち、選択された前記処理項目に対応した動作を行う携帯電話機に用いられるメニュー画面表示方法であって、
前記複数の処理項目のそれぞれに対応する１つ又は複数の単語がちりばめられた長い文章を前記メニュー画面として前記表示手段に表示する表示制御処理と、
任意の前記単語を指示するための指示処理とを行い、
前記表示制御処理では、
前記指示手段によって任意の前記単語が指示されると、指示された当該単語のある行を除いて、指示された当該単語とつながりを有する語句を処理項目として残す一方、つながりを有さない字句を前記メニュー画面から消去すると共に、
つながりを有する語句に対応した処理を実行することを特徴とするメニュー画面表示方法。
【請求項６】
前記表示制御処理では、
当該携帯電話機が受信した電子メール又はユーザが作成した単語を認識して前記文章の一部として取り込んで前記表示手段に表示することを特徴とする請求項４又は５記載のメニュー画面表示方法。
【請求項７】
コンピュータを請求項１、２又は３記載の表示制御手段として機能させるためのコンピュータ読み取り可能なメニュー画面表示制御プログラム。
【発明の詳細な説明】
【技術分野】
【０００１】
この発明は、携帯電話機、該携帯電話機に用いられるメニュー画面表示方法及びメニュー画面表示制御プログラムに係り、特に、表示部に表示されるメニュー画面の表現の自由度を高める場合に用いて好適な携帯電話機、該携帯電話機に用いられるメニュー画面表示方法及びメニュー画面表示制御プログラムに関する。
【背景技術】
【０００２】
携帯電話機では、電源がオン状態になったとき、選択可能な各処理項目を表すメニュー画面が表示部に表示され、ユーザが所望の処理項目にカーソルをあてることにより、選択された処理項目に対応した動作が行われる。しかしながら、通常のメニュー画面では、各処理項目が固定化されているため、表現の自由度が低いという問題点がある。このため、表示画面による表現に変化をもたせる技術が提案されている。
【０００３】
この種の技術としては、たとえば、特許文献１に記載されたものがある。
特許文献１に記載された文書情報管理システムでは、単語のクリック操作でリンクの張られていない単語をキーワードとして検索が実行され、ハイパーテキストのボタンと同様にクリックされた単語から検索対象のページへ飛ぶことにより、文書情報管理及び文書検索における利便性の向上、キーワードによる検索の操作性の向上、さらに、ハイパーテキストから検索を行う場合の作業性の向上を図ることができる。
【０００４】
また、特許文献２に記載された情報検索システムでは、閲覧文書中の単語や文書の一部がマウスボタン操作などにより選択されると、この選択された部分に対してハイライトなどの明示処理が行われ、当該システムの提供するサービスメニューが表示された場合、入力手段により、この表示されたサービスメニュー中から当該選択された部分（入力キーワード）に対するサービスが入力され、キーワード抽出手段により、同サービスの入力に応じて、上記閲覧文書からキーワードが抽出され、検索手段により、上記入力キーワードとキーワード抽出手段で抽出されたキーワード（補助キーワード）とに基づいて、情報記憶手段に記憶された文書や情報が検索され、同検索手段で検索された検索結果の文書や情報が表示手段で表示される。
【０００５】
また、特許文献３に記載された文章作成装置では、制御装置により、個別文章データベースに保存されている文章中に存在する文章片や単語などが単語データベース及び文章データベースなどから引用され、ＴＡＧ付き文章が作成されて記憶装置に展開されると共に、同記憶装置内でＴＡＧに基づいてＴＡＧ付き文章が編集され、表示装置により、ＴＡＧが削除された文章やアイコンメニューなどが表示される。
【０００６】
また、特許文献４に記載されたメニュー表示装置では、コンピュータシステムなどで、制御部にある表示手段により表示部にメニューが表示される際に、単語や名称で箇条書きに選択項目が表示されるのではなく、文又は文章を用いて表示される。そして、文又は文章中でキーワードとなる選択項目に対して選択ボタンが設定される。選択ボタンが選択されることにより、選択手段でメニューの選択が行われる。これにより、初心者でも、画面の文章を読みながら、操作を理解でき、操作を誤ることがなく、また、操作マニュアルを読まずに操作できる。
【特許文献１】特開２０００−０２９９０６号公報（要約書、図１）
【特許文献２】特開２００６−０７９３６６号公報（要約書、図１）
【特許文献３】特開平０６−３３７８６３号公報（要約書、図１、図２）
【特許文献４】特開平０７−２６１９６８号公報（要約書、図１）
【発明の開示】
【発明が解決しようとする課題】
【０００７】
しかしながら、上記技術では、次のような問題点があった。
すなわち、特許文献１に記載された文書情報管理システムでは、文書中の任意の単語を指定するだけで、該当する単語をキーワードとする検索が可能となるが、特に表現の自由度を高めるものではなく、上記の問題点は、改善されない。
【０００８】
特許文献２に記載された情報検索システムでは、検索手段で検索された検索結果の文書や情報が表示手段で表示されるが、特に表現の自由度を高めるものではなく、上記の問題点は、改善されない。
【０００９】
特許文献３に記載された文章作成装置では、表示装置により、ＴＡＧが削除された文章やアイコンメニューなどが表示されるが、特に表現の自由度を高めるものではなく、上記の問題点は、改善されない。
【００１０】
特許文献４に記載されたメニュー表示装置では、表示部にメニューが表示される際に、選択項目の内容を解説する文又は文章を用いて表示されるが、文又は文章が箇条書きで表示されているので、特に表現の自由度を高めるものではなく、上記の問題点は、改善されない。
【００１１】
この発明は、上述の事情に鑑みてなされたもので、表示部に表示されるメニュー画面の表現の自由度が高められた携帯電話機、同携帯電話機に用いられるメニュー画面表示方法及びメニュー画面表示制御プログラムを提供することを目的としている。
【課題を解決するための手段】
【００１２】
上記課題を解決するために、この発明の構成は、表示手段を有し、選択可能な複数の処理項目を表すメニュー画面を前記表示手段に表示し、表示されている前記複数の処理項目のうち、選択された前記処理項目に対応した動作を行う携帯電話機であって、前記複数の処理項目のそれぞれに対応する１つ又は複数の単語がちりばめられた長い文章を前記メニュー画面として前記表示手段に表示する表示制御手段と、任意の前記単語を指示するための指示手段とを備え前記表示制御手段は、前記指示手段によって任意の前記単語が指示されると、前記表示手段に、指示された当該単語とつながりを有する語句を前記メニュー画面として残す表示をし、つながりを有する語句に対応した処理項目の処理を実行することを特徴としている。
【発明の効果】
【００１３】
この発明の構成によれば、表示制御手段により、各処理項目に対応する１つ又は複数の単語がちりばめられた文章がメニュー画面として表示手段に表示されるので、同表示手段に表示されるメニュー画面の表現の自由度を高めることができる。
【発明を実施するための最良の形態】
【００１４】
カーソルなどの指示手段により指示された単語につながりを有する語句で構成された文章が表示手段に表示され、また、カーソルなどの指示手段により指示された単語につながりを有する処理項目に対応した処理が実行される携帯電話機、同携帯電話機に用いられるメニュー画面表示方法及びメニュー画面表示制御プログラムを提供する。
【実施例１】
【００１５】
図１は、この発明の一実施例である携帯電話機の要部の電気的構成を示すブロック図である。
この例の携帯電話機は、同図に示すように、アンテナ１と、無線部２と、ディスプレイ部３ａ，３ｂと、制御部４と、メモリ５と、カメラ６と、操作部７と、スピーカ８と、マイク９と、レシーバ１０とから構成されている。アンテナ１は、図示しない無線基地局の受け持ちのセル内で同無線基地局と無線信号ｗを送受信する。無線基地局は、図示しない在圏移動通信交換局及び関門移動通信交換局を介して一般電話回線網に接続されている。無線部２は、無線基地局との間でアンテナ１を介して送受信される無線信号ｗに対して変復調などの処理を行う。ディスプレイ部３ａは、たとえば液晶表示装置で構成され、同ディスプレイ部３ａは、たとえば、電話番号、時計、サービス圏内／圏外、電話帳表示、スケジュール表示、カレンダー表示、機能メニュー表示、現在のモードなどを表示する。ディスプレイ部３ｂは、たとえば、たとえばＬＥＤ（Light Emitting Diode、発光ダイオード）などで構成され、時計、サービス圏内／圏外、現在のモードなどを表示する。
【００１６】
カメラ６は、たとえばＣＭＯＳセンサやＣＣＤセンサなどを有するカメラで構成され、静止画撮影及び動画撮影を行う。操作部７は、たとえば、送信キー、英字／カナ／漢字／数字の変換キー、電源のオン／オフキー、カーソル操作を行うための十文字キー、及び終了キーなどから構成され、ユーザの操作により、文字などの入力や項目の選択などの各種操作を行うための手段である。スピーカ８は、着信音を発生する。マイク９は、この携帯電話機の送話部としての機能を有している。レシーバ１０は、この携帯電話機の受話部としての機能を有している。メモリ５は、たとえばＲＡＭ（Randam Access Memory）で構成され、電話帳データ、撮影画像データ、ダウンロードデータなどを記憶する。
【００１７】
制御部４は、この携帯電話機全体を制御するコンピュータとしてのＣＰＵ（中央処理装置）４ａ及び同ＣＰＵ４ａを動作させるためのメニュー画面表示制御プログラムが記録されたＲＯＭ（リード・オンリ・メモリ）４ｂを有し、上記機能メニュー表示として、カーソルにより選択可能な各処理項目を表すメニュー画面をディスプレイ部３ａに表示し、選択された処理項目に対応した動作を行う。特に、この実施例では、制御部４は、上記各処理項目に対応する単語がちりばめられた文章をメニュー画面としてディスプレイ部３ａに表示させ、また、カーソルにより指示された上記単語につながりを有する文章を表示させると共に、同単語につながりを有する処理項目に対応した処理を実行する。
【００１８】
図２は、図１の携帯電話機の外観の一例を示す図であり、同図（ａ）は正面図、及び同図（ｂ）が背面図である。
この携帯電話機は、同図（ａ）に示すように、上部ユニット１１と、下部ユニット１２とを備えている。上部ユニット１１は、正面側にディスプレイ部３ａ及びレシーバ１０を備え、下部ユニット１２が、正面側に操作部７及びマイク９を備えている。そして、上部ユニット１１の正面側及び下部ユニット１２の正面側同士が向かい合う態様でヒンジ部１３を介して折り畳み可能に構成されている。また、同図（ｂ）に示すように、上部ユニット１１は、背面側にディスプレイ部３ｂ、カメラ６及びスピーカ８を備えている。
【００１９】
図３は、図１中のディスプレイ部３ａに表示されるメニュー画面の一例を示す図であり、同図（ａ）は、各処理項目に対応する単語がちりばめられた文章が表示された状態を示す図、及び同図（ｂ）が、カーソルにより指示された単語につながりを有する文章が表示された状態を示す図である。
これらの図を参照して、この例の携帯電話機に用いられるメニュー画面表示方法の処理内容について説明する。
この携帯電話機では、図３（ａ）に示すように、ディスプレイ部３ａに、各処理項目に対応する複数の単語がちりばめられた文章がメニュー画面として表示される（表示制御処理）。この文章中で、ユーザが操作部７を操作することにより、たとえば、単語「データＢＯＸ」が図示しないカーソルにより指示されたとき（指示処理）、図３（ｂ）に示すように、この単語「データＢＯＸ」につながりを有する語句で構成された文章がディスプレイ部３ａに表示される（表示制御処理）。そして、単語「データＢＯＸ」につながりを有する処理項目に対応した処理（たとえば、電話帳表示など）が実行される。
【００２０】
以上のように、この実施例では、ディスプレイ部３ａに、各処理項目に対応する複数の単語がちりばめられた文章がメニュー画面として表示されるので、同メニュー画面に対して、ユーザの想像をかきたてるように表現の自由度を高めることができる。
【００２１】
以上、この発明の実施例を図面により詳述してきたが、具体的な構成は同実施例に限られるものではなく、この発明の要旨を逸脱しない範囲の設計の変更などがあっても、この発明に含まれる。
たとえば、制御部４により、当該携帯電話機が受信した電子メール又はユーザが作成した単語を認識して文章の一部として取り込んでディスプレイ部３ａに表示させるようにしても良い。これにより、さらにユーザの自由度及び印象を高めることができる。また、上記実施例では、携帯電話機の筐体は、図２に示すように折り畳み型となっているが、ストレート型や、スライド型などでも良い。
【産業上の利用可能性】
【００２２】
この発明は、携帯電話機の他、たとえば、ＰＤＡ（Personal Digital Assistants ）など、選択可能な処理項目を表すメニュー画面を表示する端末装置全般に適用できる。
【図面の簡単な説明】
【００２３】
【図１】この発明の一実施例である携帯電話機の要部の電気的構成を示すブロック図である。
【図２】図１の携帯電話機の外観の一例を示す図である。
【図３】図１中のディスプレイ部３ａに表示されるメニュー画面の一例を示す図である。
【符号の説明】
【００２４】
１      アンテナ（携帯電話機の一部）
２      無線部（携帯電話機の一部）
３ａ      ディスプレイ部（表示手段、携帯電話機の一部）
３ｂ      ディスプレイ部（携帯電話機の一部）
４      制御部（表示制御手段、携帯電話機の一部）
４ａ      ＣＰＵ（中央処理装置）
４ｂ      ＲＯＭ（リード・オンリ・メモリ）
５      メモリ（携帯電話機の一部）
６      カメラ（携帯電話機の一部）
７      操作部（指示手段、携帯電話機の一部）
８      スピーカ（携帯電話機の一部）
９      マイク（携帯電話機の一部）
１０      レシーバ（携帯電話機の一部）
【図１】
0004983446.tif 000002
【図２】
0004983446.tif 000003
【図３】
0004983446.tif 000004